(57)【特許請求の範囲】
【請求項１】
建築物のベランダ床面とベランダ天井壁とベランダ手摺とを備えたベランダに設置される工事用足場であって、
前記ベランダを有する第一の外側壁と、前記ベランダを有しない第二の外側壁とを備えた前記建築物の前記ベランダに設置され、
前記工事用足場は、基枠体部と、作業台部と、を備え、
前記基枠体部は、前記ベランダ手摺より前記ベランダの室内側に配置され、前記ベランダ床面に当接するベース部と、前記ベランダ天井壁側に配置され前記ベランダ天井壁と当接する押圧部と、前記ベース部の四隅部分からそれぞれ前記ベランダ天井壁側に延びて前記ベース部と前記押圧部とを連結する縦支持部と、を有し、
前記押圧部は、二つの前記縦支持部を連結して互いに対向するように配設された一対のジャッキ部と、平面視において矩形平板状に形成され前記ジャッキ部に両端部を支持され前記ベランダ天井壁を押圧する押圧板部とを備え、
前記作業台部は、前記ベランダの室外側の一対の該縦支持部に支持され前記ベランダ手摺よりベランダの室外側に延びて配設されるとともに、前記建築物の前記第二の外側壁に沿って配設される仮設足場と係合可能に形成されていることを特徴とする工事用足場。
【請求項２】
前記作業台部に支持されて上方に延びて、前記建築物の前記ベランダ上方の屋根に移動可能に架け渡される階段部を備えることを特徴とする請求項１記載の工事用足場。
【請求項３】
ベランダ床面とベランダ天井壁とベランダ手摺とを備えたベランダを有する第一の外側壁と、前記ベランダを有しない第二の外側壁とを備えた建築物に設置されるメンテナンスシステムであって、
前記メンテナンスシステムは、前記建築物の前記ベランダに設置される請求項１又は２のいずれかに記載の工事用足場と、前記建築物の前記第二の外側壁に沿って配設される仮設足場と、を備え、
前記作業台部が、前記仮設足場と係合可能に形成され、
前記仮設足場の平面視における前記建築物の外周方向に沿った両端部が、少なくとも前記仮設足場の設置階における前記建築物の最上層階の前記ベランダに設置されている前記工事用足場の前記作業台部と、それぞれ係合されていることを特徴とする建築物のメンテナンスシステム。
【請求項４】
前記仮設足場が、複数本連結され前記第二の外側壁の壁面に沿って鉛直方向に延びるとともに水平方向に沿って複数列配置される縦枠と、前記縦枠を前記第二の外側壁の壁面に沿って水平方向に連結する布枠と、前記縦枠の間に配設される矩形枠状の安全手摺部と、前記縦枠と連結され前記第二の外側壁に向かって延びる腕枠又は伸縮ブラケットと、前記建築物の外周方向に沿って並ぶ二つの前記腕枠又は前記伸縮ブラケット間に架け渡される足場板部と、を備えて多段状に組み立てられ、
前記縦枠の上端部から下方に所定距離離れた位置には、前記安全手摺部と係合される上係合部材が、前記縦枠の下端部から上方に所定距離離れた位置には、前記安全手摺部と係合される下係合部材が、それぞれ配設され、
前記安全手摺部の両側枠の下端部には、前記縦枠の前記上係合部材と係合される下被係合部材が、前記安全手摺部の両側枠の上端部には、前記縦枠の前記下係合部材と係合される上被係合部材がそれぞれ配設され、
前記縦枠が、前記縦枠の上端部又は／及び前記縦枠の下端部で連結部材を介して上下方向において隣接する前記縦枠どうしが連結されるとともに、上下に隣接する前記縦枠において、同一の前記安全手摺部の前記上被係合部材が上の前記縦枠の前記下係合部材と係合されるとともに前記下被係合部材が下の前記縦枠の前記上係合部材と係合されることを特徴とする請求項３記載の建築物のメンテナンスシステム。
【請求項５】
前記足場板部、又は、前記足場板部及び前記上係合部材が、前記工事用足場の前記作業台部と係合可能に形成されていることを特徴とする請求項４記載の建築物のメンテナンスシステム。
【請求項６】
鉛直方向に延びる縦レールと、前記縦レールに沿って移動する本体部と、前記本体部に支持され水平方向に延びて物を搬送可能な横レールと、前記横レール上を移動して前記建築物を検査又は／及び洗浄する移動体と、を備えた多機能リフト装置が、前記仮設足場又は／及び前記工事用足場に支持されていることを特徴とする請求項３、４又は５記載の建築物のメンテナンスシステム。
【発明の詳細な説明】
【技術分野】
【０００１】
清掃、改修作業を行なう住宅に設置する工事用足場及び建築物のメンテナンスシステムに関する。
【背景技術】
【０００２】
従来の多階層住宅のベランダに設置する工事用足場として、特許文献１に知られるように、上下に対向する室外廊下の上面壁と下面壁との間に、上下に延びる支柱によって足場本体を突っ張り支持させる足場装置があった。
【０００３】
この足場装置は、足場用主枠を有し、足場用主枠は、室内側左右に設けられる突っ張りポストと、室外側左右に設けられる前面枠支柱と、左右の突っ張りポスト間に設けられる後面布枠と、左右の前面枠支柱間に設けられる前面布枠と、前後に対向する突っ張りポストと前面枠支柱との間に設けられる側面布枠と、で構成されていた。そして、突っ張りポストは、下端部側に配置される基部ポストの下端部にキャスターが取り付けられ、上端部側に配置される第２伸縮ポストの上端部に上面壁に突っ張り当接する突っ張り板が枢着されていた。
【０００４】
また、建物の外壁修繕工事方法として、特許文献２に記載されているものがあった。これによれば、建物の一の側面にのみ足場を組み上げ、足場は、建物の一の側面に打ち込まれたアンカに、足場とつながる複数の固定部材が連結されることにより建物の一の側面に固定されていた。この足場の周囲をシートで囲んで外壁修繕作業を行い、建物の一の側面の外壁修繕作業が、終わったら、足場を解体する工程と、建物の残りの側面に足場を組み上げ、この組み上げた足場の周囲をシートで囲んで外壁修繕作業を行なう工程と、に分けて行っていた。
【先行技術文献】
【特許文献】
【０００５】
【特許文献１】特開２００２−２１３２２号公報
【特許文献２】特開２０１０−２０３１８３号公報
【発明の概要】
【発明が解決しようとする課題】
【０００６】
一般的に四、五階程度の多層層住宅では、最上階の軒先にある天井は、高層住宅のように、コンクリートで一体形成されておらず、軽量金物で新建材貼りされているので強度が弱く、上面壁に突っ張り当接する突っ張り板の面積が少ない特許文献１の工事用足場では、最上階の軒先にある天井を損傷させるおそれがあった。
【０００７】
また、特許文献２の外壁修繕工事方法では、外壁修繕作業に際し建物の側面にアンカを打ち込む作業が必要となり、建物の側面に穴があけられることになるので、建物の強度が低下するといった問題があった。
【０００８】
本発明は、上記事情に鑑み、強度の弱いベランダ天井壁を損傷させない工事用足場、その工事用足場を用いて建築物がベランダがない側面を有する場合でも建築物の強度を損なうことなく清掃、改修作業を行なうことができる建築物のメンテナンスシステムを提供するものである。
【課題を解決するための手段】
【０００９】
請求項１記載の発明では、建築物のベランダ床面とベランダ天井壁とベランダ手摺とを備えたベランダに設置される工事用足場であって、ベランダを有する第一の外側壁と、ベランダを有しない第二の外側壁とを備えた建築物のベランダに設置され、工事用足場は、基枠体部と、作業台部と、を備え、基枠体部は、ベランダ手摺よりベランダの室内側に配置され、ベランダ床面に当接するベース部と、ベランダ天井壁側に配置されベランダ天井壁と当接する押圧部と、ベース部の四隅部分からそれぞれベランダ天井壁側に延びてベース部と押圧部とを連結する縦支持部と、を有し、押圧部は、二つの縦支持部を連結して互いに対向するように配設された一対のジャッキ部と、平面視において矩形平板状に形成されジャッキ部に両端部を支持されベランダ天井壁を押圧する押圧板部とを備え、作業台部は、ベランダの室外側の一対縦支持部に支持されベランダ手摺よりベランダの室外側に延びて配設されるとともに、建築物の第二の外側壁に沿って配設される仮設足場と係合可能に形成されている。
【００１０】
これによれば、押圧板部により、比較的広い範囲を押圧することとなり、ベランダ天井壁を押圧する際の単位面積あたりの押圧力が小さくなるので、ベランダ天井壁の強度が弱くても天井壁を損傷させることなくベランダ天井壁を押圧することができる。また、作業台部を、建築物の第二の外側壁に沿って配設される仮設足場と係合可能に形成しているので、建築物の第二の外側壁に沿って配設される仮設足場と係合させれば、建物がベランダがない側面を有する場合でも建築物にアンカを打ち込むことが不要となり、建築物の強度を損なうことなく清掃、改修作業を行なうことができる。
【００１１】
請求項２記載の発明では、作業台部に支持されて上方に延びて、建築物のベランダ上方の屋根に移動可能に架け渡される階段部により、屋根に容易に移動することができる。
【００１２】
請求項３記載の発明では、請求項１又は２に記載の工事用足場を用いたメンテナンスシステムであって、工事用足場と、仮設足場とで構成して、仮設足場の平面視における建築物の外周方向に沿った両端部を、少なくとも仮設足場の設置階における建築物の最上層階のベランダに設置されている工事用足場の作業台部と、それぞれ係合させるように形成している。これにより、工事用足場が仮設足場を支持するので建築物にアンカを打ち込むことが不要となり、建築物がベランダがない側面を有する場合でも建築物の強度を損なうことなく清掃、改修作業を行なうことができる。
【００１３】
請求項４記載の発明では、縦枠の上端部から下方に所定距離離れた位置に、安全手摺部と係合される上係合部材を、縦枠の下端部から上方に所定距離離れた位置に、安全手摺部と係合される下係合部材を、それぞれ配設して、安全手摺部の両側枠の下端部に、縦枠の上係合部材と係合される下被係合部材を、安全手摺部の両側枠の上端部に、縦枠の下係合部材と係合される上被係合部材をそれぞれ配設している。
【００１４】
そして、縦枠を、縦枠の上端部又は／及び縦枠の下端部で連結部材を介して上下方向において隣接する縦枠どうしを連結するとともに、上下に隣接する縦枠において、同一の安全手摺部の上被係合部材を上の縦枠の下係合部材と係合するとともに下被係合部材を下の縦枠の上係合部材と係合している。
【００１５】
これにより、連結部材を利用しての連結に加え、同一の安全手摺部の下被係合部材及び上被係合部材を利用して縦枠どうしを連結することになるので、縦枠どうしの連結が強固になり仮設足場の設置時の安定性を高めることができる。
【００１６】
請求項５記載の発明では、足場板部、又は、足場板部及び上係合部材を、工事用足場の作業台部と係合可能に形成しているので、足場板部と作業台部間の移動が容易になり作業効率を高めることができる。
【００１７】
請求項６記載の発明では、仮設足場又は／及び工事用足場に支持された多機能リフト装置が、鉛直方向に延びる縦レールと、縦レールに沿って移動する本体部と、本体部に支持され水平方向に延びて物を搬送可能な横レールと、横レール上を移動して建築物を検査又は／及び洗浄する移動体を備えている。これにより、人力を用いずに作業用の資材、物品を上層階に搬送できるとともに、検査、洗浄作業を行なうことができ、迅速な清掃、改修作業を行なうことができる。
【発明の効果】
【００１８】
本発明の工事用足場では、ベランダ天井壁の強度が弱くても天井壁を損傷させることなくベランダ天井壁を押圧することができ、本発明の建築物のメンテナンスシステムでは、建築物がベランダがない側面を有する場合でも築物の強度を損なうことなく清掃、改修作業を行なうことができる。
【図面の簡単な説明】
【００１９】
【図１】本発明の一実施形態における工事用足場を最上層階に設置した状態の斜視図である。
【図２】本発明の一実施形態における工事用足場の斜視図である。
【図３】本発明の一実施形態における工事用足場の基枠体部の一部の分解斜視図である。
【図４】本発明の一実施形態における工事用足場の作業台部、階段部及び基枠体部の残りの部分の工事用足場の分解斜視図である。
【図５】本発明の一実施形態の建築物のメンテナンスシステムの斜視図である。
【図６】本発明の一実施形態の建築物のメンテナンスシステムの平面図である。
【図７】本発明の一実施形態の仮設足場の（ａ）部分拡大正面図であり、（ｂ）部分拡大平面図である。
【図８】本発明の一実施形態の連結足場台の（ａ）斜視図であり、（ｂ）正面図である。
【図９】本発明の一実施形態の渡し安全手摺部と手摺部の部分拡大図である。
【図１０】本発明の一実施形態の多機能リフト装置の正面図である。
【図１１】本発明の変形例の工事用足場を最上層階以外の階に設置した状態の斜視図である。
【図１２】本発明の変形例の工事用足場の斜視図である。
【図１３】本発明の変形例の工事用足場の踏み台板及び補助手摺の分解斜視図である。
【発明を実施するための形態】
【００２０】
本発明の工事用足場の実施形態について図面に基づいて説明する。以下の説明においては、図１における後述するベランダ天井壁３ｂ側を上とし、後述するベランダ床面３ａ側を下とし、後述するベランダ３の幅方向に沿って室内に向かう側を室内側３ｅ（後ろ側）、その反対側を室外側３ｆ（前側）とし、室外側３ｆ側から見て向かって左側を左、向かって右側を右、とする。
【００２１】
工事用足場６は、建築物２の最上層階９のベランダ３に設置されている。建築物２の最上層階９のベランダ３は、それぞれベランダ床面３ａと、ベランダ天井壁３ｂと、ベランダ手摺３ｃと、ベランダ室内側壁３ｇと、を備えている。
【００２２】
工事用足場６は、図１に示すように、基枠体部６Ｋと、突出アーム部１３と、作業台部１４と、手摺部１５と、下階段部１７と、上階段部１８（特許請求の範囲における階段部に相当する。）と、を備えている。
【００２３】
基枠体部６Ｋは、ベランダ手摺３ｃよりベランダ３の室内側３ｅに配置され、ベランダ床面３ａに当接するベース部１０と、ベランダ天井壁３ｂ側に配置されベランダ天井壁３ｂと当接する押圧部１１と、ベース部１０の四隅部分からそれぞれ上側に延びてベース部１０と押圧部１１とを連結する四つの縦支持部１２と、を有している。
【００２４】
突出アーム部１３は、ベランダ３の室外側３ｆの一対の縦支持部１２に支持されベランダ手摺３ｃよりベランダ３の室外側３ｆに延びて配設されている。
【００２５】
作業台部１４は、突出アーム部１３を介してベランダ３の室外側３ｆの一対の縦支持部１２に支持されている。
【００２６】
手摺部１５は、作業台部１４から上側に延設されている。
【００２７】
下階段部１７は、ベース部１０及び縦支持部１２に支持され、ベース部１０から作業台部１４に移動可能に配置されている。
【００２８】
上階段部１８は、作業台部１４に支持されて上方に延びてから建築物２の屋根１６に移動可能に架け渡されている。
【００２９】
ベース部１０は、図２、図３、図４に示すように、矩形状のベース板部１９と、ベース板部１９から上方に延設された柱支持部２０と、ベース板部１９を挿通してベランダ床面３ａと当接する床面当接部２１と、を有している。
【００３０】
ベース板部１９は、矩形平板状の上板２２と、上板２２に対して平行に配置され柱支持部２０を支持可能に形成された矩形平板状の下板２３と、上板２２の外縁部から下方に延びるとともに一部で上板２２と下板２３とを連結する側板２４と、を有している。
【００３１】
上板２２の四隅部分には、後述する柱支持部２０を埋設するための埋設孔２５が形成されている。埋設孔２５よりもベース板部１９の外周に近い部分の四隅には、それぞれ、床面当接部２１が上板２２及び下板２３を挿通して配設されている。下板２３の下面の平面視において上板２２の埋設孔２５に対応する部分には、キャスター２６が回動可能に取り付けられている。上板２２の上面の中心から右寄りの位置に、ベース板部１９の長辺部分に沿って下階段部１７を支持する一対の下階段支持部２７（図３では省略。）が装着されている。
【００３２】
柱支持部２０は、四角筒状に形成され埋設孔２５に挿入され、下板２３の上面と上板２２の埋設孔２５の縁部分で支持されている。柱支持部２０の左右方向に沿った面には、図示しない連結ピンが挿通される固定挿通孔２０ａがそれぞれ形成されている。
【００３３】
床面当接部２１は、図２、図３に示すように、ピポットジャッキが用いられ、ねじが形成された本体部２１ａと、本体部２１ａの上端部に形成された頭部２１ｂと、本体部２１ａの下端部に、所定角度内を回動可能でベランダ床面３ａに当接するように形成された当接部２１ｃと、本体部２１ａと螺合するナット部２１ｄと、を有している。本体部２１ａが、図示しない挿通孔に挿入され、上板２２の上面側及び下板２３下面側のそれぞれに配設されたナット部２１ｄによって支持されている。
【００３４】
下階段部１７は、図２、図３、図４に示すように、上部に配設される踊り場板４９と、踊り場板４９から斜め下方に延びる支持枠部５０と、支持枠部５０に支持される踏み板５１と、を有している。
【００３５】
踊り場板４９は、平板状で正面視における断面が略コ字状に形成され、水平方向に沿った水平部４９ａと、左端縁部から下方に延びる左垂直部４９ｂと、右端縁部から下方に延びる右垂直部４９ｃと、を有している。
【００３６】
支持枠部５０は、図２、図３に示すように、前後一対の支持枠体５０１から構成されている。各支持枠体５０１は、正面視において、踊り場板４９の右垂直部４９ｃの上端部から斜め下方に延びる前上アングル部５０１ａと、踊り場板４９の右垂直部４９ｃの下端部から斜め下方に延びる前下アングル部５０１ｂと、前下アングル部５０１ｂの下端部からベース板部１９の上板２２に沿って延びる前横アングル部５０１ｃと、前横アングル部５０１ｃの右側の端部と前上アングル部５０１ａの下端部とを連結する前縦アングル部５０１ｄと、を備えている。前横アングル部５０１ｃの前後方向に直交する面に前後方向に沿って貫通して後述する上階段支持部４８と連結する下階段連結孔５０１ｅが左右方向に沿って複数形成されている。
【００３７】
踏み板５１は、矩形板状で正面視において長辺と短辺を有する断面Ｌ字状に形成され、長辺側の面がベース板部１９と平行になるように複数段配置されている。前上アングル部５０１ａと、前下アングル部５０１ｂの前後方向に直交する面で、踏み板５１の前端部の一部及び後端部の一部がそれぞれ支持されている。
【００３８】
各下階段支持部２７は、図２、図４に示すように、等辺山形鋼が用いられ、一方の辺の外面２７ａで上板２２の上面に左右方向に沿って互いに平行となるように装着されている。他方の上方に向かって延びる辺には、前後方向に沿って貫通して下階段部１７の設置位置を調整する下階段連結孔２７ｂが左右方向に沿って複数形成されている。
【００３９】
前横アングル部５０１ｃのいずれかの下階段連結孔５０１ｅと、下階段連結孔２７ｂとを、図示しない連結ピンをそれぞれ挿通することによって下階段部１７と、ベース板部１９とが連結されている。
【００４０】
タラップ受け部７４は図２、図３に示すように、長尺平板状で平面視においてコの字状に形成された連結板部７４ａと、長尺平板状で連結板部７４ａの屈曲部分と対向するとともに長手方向を上下方向に沿わせて配設された調整板７４ｂと、連結板部７４ａに装着され角筒状で調整板７４ｂの間に配設された受け部７４ｃと、を有している。
【００４１】
タラップ受け部７４は、後述するベース板部１９の左側に配設された一対の縦支持部１２の下部柱３７を前後方向に沿って連結するように配設されている。調整板７４ｂには、前後方向に貫通するタラップ連結孔７４ｄが上下方向に沿って複数形成されている。
【００４２】
連結板部７４ａの屈曲部分と、調整板７４ｂとの間隔は、後述する下部柱３７の平面視における前後方向の幅と略同一に形成されている。
【００４３】
タラップ受け部７４のいずれかのタラップ連結孔７４ｄが、縦支持部１２の下部柱３７のいずれかの柱連結孔３７ａと相互に対向され、それらの相互に対向するタラップ連結孔７４ｄと、柱連結孔３７ａとを、図示しない連結ピンを挿通することによって前後方向に沿った一対の下部柱３７が連結されている。
【００４４】
タラップ受け部７４の受け部７４ｃに踊り場板４９の水平部４９ａが載置されるとともに、タラップ受け部７４の連結板部７４ａと、踊り場板４９の左垂直部４９ｂが係止されて、下階段部１７と、タラップ受け部７４とが連結されている。
【００４５】
押圧部１１は、図２、図３、図４に示すように、矩形平板状に形成されベランダ天井壁３ｂを押圧する第一の押圧板部２９と、第一の押圧板部２９より平面視における面積を小さく形成されベランダ天井壁３ｂを押圧する第二の押圧板部３０と、第一の押圧板部２９を上下方向に移動させる一対のジャッキ部３１と、第二の押圧板部３０を上下方向に移動させる棒ジャッキ部３２と、ジャッキ部３１及び棒ジャッキ部３２を支持する一対の台座部３３と、を有している。
【００４６】
第一の押圧板部２９は、弾性を有した部材で、平面視においてベース板部１９に埋設された四つの柱支持部２０で囲まれた面積（各柱支持部２０の四つの角のベース板部１９の中心側に近い角を結んで矩形をなす部分の面積）と略同一の面積を有して形成され、左右方向の端部でジャッキ部３１にそれぞれ支持されている。
【００４７】
第二の押圧板部３０は、弾性を有した部材で矩形平板状に形成され、第一の押圧板部２９より後ろ側に二つ配設され、下面の中央部で棒ジャッキ部３２にそれぞれ装着されている。
【００４８】
ジャッキ部３１は、一対のリンク部３１ａと、一対のリンク部３１ａ中央部を連結する調節ねじ３１ｂと、調節ねじ３１ｂの前端部に装着されるハンドル３１ｃと、ハンドル３１ｃを固定する固定ナット３１ｄと、を有している。ジャッキ部３１は、後述する連結柱部３４のブラケット部３４ｄにそれぞれ装着されて縦支持部１２を連結している。ジャッキ部３１は、リンク部３１ａの上端部で第一の押圧板部２９の下面にそれぞれ装着され、第一の押圧板部２９を支持している。
【００４９】
棒ジャッキ部３２は、ねじが形成された本体部３２ａと、本体部３２ａの下端部に形成されたハンドル３２ｂと、本体部３２ａと螺合するナット部３２ｃと、回転バーを有する固定ナット３２ｄと、を有している。棒ジャッキ部３２は、ナット部３２ｃで後述する摺動部３５に支持されている。
【００５０】
台座部３３は図２、図３、図４に示すように、後述する上部柱３６を連結する連結柱部３４と、連結柱部３４の内側に摺動可能に形成された摺動部３５と、を有している。
【００５１】
連結柱部３４は、角筒状に形成されている。連結柱部３４には、左右方向に直交する面に、左右方向に沿って貫通する台座連結孔３４ａが、前後方向に沿って複数形成されている。連結柱部３４の下面の前端部及び後端部には、上部柱３６が挿入される挿入部３４ｂが形成されている。各挿入部３４ｂには、左右方向に直交する面に、左右方向に沿って貫通する柱台連結孔３４ｃが、形成されている。連結柱部３４には、対向する連結柱部３４に向かって延びてジャッキ部３１が装着されるブラケット部３４ｄが、設けられている。
【００５２】
摺動部３５は、角筒状で連結柱部３４の内側に挿入可能な大きさに形成されている。摺動部３５には、左右方向に直交する面に、左右方向に沿って貫通する台座連結孔３５ａが、前後方向に沿って複数形成されている。摺動部３５の後端部には、棒ジャッキ部３２のナット部３２ｃが装着されている。
【００５３】
連結柱部３４のいずれかの台座連結孔３４ａが、連結柱部３４の内側に挿入された摺動部３５のいずれかの台座連結孔３５ａと相互に対向され、それらの相互に対向する台座連結孔３４ａと、台座連結孔３５ａとを、図示しない連結ピンを挿通することによって連結柱部３４と摺動部３５とが連結されている。
【００５４】
縦支持部１２は、図２、図３に示すように、それぞれ角筒状に形成された上部柱３６と下部柱３７とで構成されている。上部柱３６の下部には、前後方向に直交する面に、前後方向に沿って貫通する柱連結孔３６ａが、上下方向に沿って複数形成されている。上部柱３６の中央部には、左右方向に直交する面に、左右方向に沿って貫通するアーム連結孔３６ｂが、上下方向に沿って複数形成されている。上部柱３６の上部には、左右方向に直交する面に、左右方向に沿って貫通する柱台連結孔３６ｃが、形成されている。
【００５５】
下部柱３７は、図２、図３に示すように、上部柱３６の内側に挿入可能な大きさに形成されている。下部柱３７の上部には、前後方向に直交する面に前後方向に沿って貫通する、柱連結孔３７ａが上下方向に沿って複数形成されている。下部柱３７の下部には、前後方向に直交する面に前後方向に沿って貫通する、固定挿通孔３７ｂが形成されている。
【００５６】
上部柱３６のいずれかの柱連結孔３６ａが、上部柱３６の内側に挿入された下部柱３７のいずれかの柱連結孔３７ａと相互に対向され、それらの相互に対向する柱連結孔３６ａと、柱連結孔３７ａとを、図示しない連結ピンを挿通することによって上部柱３６と下部柱３７とが連結されている。
【００５７】
上部柱３６の柱台連結孔３６ｃが、上部柱３６の外側に嵌め込まれた挿入部３４ｂの柱台連結孔３４ｃと相互に対向され、それらの相互に対向する柱台連結孔３６ｃと、柱台連結孔３４ｃとを、図示しない連結ピンを挿通することによって上部柱３６と挿入部３４ｂとが連結されている。
【００５８】
下部柱３７の固定挿通孔３７ｂが、下部柱３７の外側に嵌め込まれた柱支持部２０の固定挿通孔２０ａと相互に対向され、それらの相互に対向する固定挿通孔３７ｂと、固定挿通孔２０ａとを、図示しない連結ピンを挿通することによって柱支持部２０と下部柱３７とが連結されている。
【００５９】
各突出アーム部１３は、図２、図３に示すように、作業台支持柱３８ａと基部３８ｂとを有している。作業台支持柱３８ａは、角筒状に形成されている。作業台支持柱３８ａの前端部には、前後方向に直交して上方に向かって延びる止め板３８ｃが装着されている。作業台支持柱３８ａの左右方向に直交する面には、左右方向に沿って突出して後述する前係合部３９ｄと係合する突片３８ｄがそれぞれ配設されている。作業台支持柱３８ａの左右方向に直交する面の基部近傍に左右方向に沿って貫通する作業台連結孔３８ｅがそれぞれ形成されている。
【００６０】
基部３８ｂは、角筒状に形成され、上部柱３６の外側に嵌め込まれ上下方向に上部柱３６に対して摺動可能な大きさに形成されている。基部３８ｂの左右方向に直交する面に、左右方向に沿って貫通するアーム連結孔３８ｆが、上下方向に沿って複数形成されている。基部３８ｂの前面の下部には、三角板状のリブ３８ｇが配設され、作業台支持柱３８ａを補助的に支持している。
【００６１】
上部柱３６のいずれかのアーム連結孔３６ｂが、上部柱３６の外側に嵌め込まれた基部３８ｂのいずれかのアーム連結孔３８ｆと相互に対向され、それらの相互に対向するアーム連結孔３６ｂと、アーム連結孔３８ｆとを、図示しない連結ピンを挿通することによって上部柱３６と基部３８ｂとが連結され、突出アーム部１３は、ベランダ手摺３ｃよりベランダ３の室外側３ｆに延びて配設されている。
【００６２】
作業台部１４は、図２、図４に示すように、後ろ側の角部分に切り欠き部３９ａを二か所有した矩形平板状の作業台板３９を有している。
【００６３】
作業台板３９の下面には、前端縁部から下方に延設する前補助部材３９ｂと、後端縁部から下方に延設する後補助部材３９ｃと、が左右方向に沿ってそれぞれ配設されている。前補助部材３９ｂ及び後補助部材３９ｃは、断面Ｌ字状に形成された等辺山形鋼が用いられ、一方の辺の外面で作業台板３９の下面に装着されている。前補助部材３９ｂ及び後補助部材３９ｃの他方の辺の外面は、前補助部材３９ｂでは作業台板３９の前端面と、後補助部材３９ｃでは作業台板３９の後端面と、面一に形成されている。
【００６４】
作業台板３９の前側の左右の端部には、前面視において断面が下方に開放されたコ字状に形成され、作業台支持柱３８ａの突片３８ｄと係合可能に形成された一対の前係合部３９ｄが配設されている。前係合部３９ｄの左右方向に直交する面には、前側の辺から後ろ側の辺に向かって切り欠き３９ｅが、それぞれ形成されている。
【００６５】
作業台板３９の後ろ側の左右の端部には、前面視において断面コ字状に形成され、作業台支持柱３８ａの作業台連結孔３８ｅと係合可能に形成された一対の後係合部３９ｆが配設されている。後係合部３９ｆの左右方向に直交する面には、左右方向に沿って貫通する作業台連結孔３９ｇが、それぞれ形成されている。
【００６６】
前係合部３９ｄの切り欠き３９ｅと作業台支持柱３８ａの突片３８ｄとを係合させるとともに、後係合部３９ｆの作業台連結孔３９ｇと作業台支持柱３８ａの作業台連結孔３８ｅとを相互に対向させ、それらの相互に対向する作業台連結孔３９ｇと作業台連結孔３８ｅとを、連結ピンを挿通することによって、左右の突出アーム部１３と作業台部１４の左右の端部とが連結されている。
【００６７】
手摺部４０は、図２、図４に示すように、複数の縦支柱４０ａと、複数の横支柱４０ｂとで格子状に形成され、前格子４０ｃと、右格子４０ｄと、左格子４０ｅとを有して平面視においてコ字状に形成されている。前格子４０ｃと、右格子４０ｄとの間、及び、前格子４０ｃと、左格子４０ｅとの間には、図示しない蝶番が配設され、それぞれ回動可能に形成されている。手摺部１５の下端部には、幅木板４０ｆが配設されている。
【００６８】
最下部に配設された手摺部４０の横支柱４０ｂと、作業台板３９の前端部及び左右の端部の上面とが、図示しない連結部材によって連結されている。
【００６９】
上階段部４１は、図２、図４に示すように、屋根１６に架け渡される掛け渡し板４２と、掛け渡し板４２と作業台板３９とを連結する支持枠部４３と、支持枠部４３に支持される踏み板４４と、作業台板３９と踏み板４４との間に配設される入口踏み板４５と、掛け渡し板４２と支持枠部４３とに支持される右手摺４６及び左手摺４７と、を有している。
【００７０】
掛け渡し板４２は、平板状で側面視における断面がＬ字状に形成され、上下方向に沿った垂直部４２ａと、垂直部４２ａから後方に延びる水平部４２ｂと、を有している。
【００７１】
支持枠部４３は、右支持枠部４３１と、左支持枠部４３２と、を備えている。右支持枠部４３１は、等辺山形鋼が用いられ側面視において、掛け渡し板４２の垂直部４２ａの上端部から斜め下方に延びる右上アングル部４３１ａと、掛け渡し板４２の垂直部４２ａの下端部から斜め下方に延びる右下アングル部４３１ｂと、右下アングル部４３１ｂの下端部と右上アングル部４３１ａの下端部とを連結する右横アングル部４３１ｃと、を備えている。支持枠部４３は、右上アングル部４３１ａ及び右下アングル部４３１ｂの後端部で掛け渡し板４２の垂直部４２ａと連結されている。右支持枠部４３１と、掛け渡し板４２の垂直部４２ａとで囲まれた部分が、側面視において台形状に形成されている。
【００７２】
左支持枠部４３２は、等辺山形鋼が用いられ側面視において、掛け渡し板４２の垂直部４２ａの上端部から斜め下方に延びる左上アングル部４３２ａと、掛け渡し板４２の垂直部４２ａの下端部から斜め下方に延びる左下アングル部４３２ｂと、左下アングル部４３２ｂの下端部から作業台板３９に沿って前方に延びる左横アングル部４３２ｃと、左横アングル部４３２ｃの前側の端部と左上アングル部４３２ａの下端部とを連結する左縦アングル部４３２ｄと、を備えている。
【００７３】
右横アングル部４３１ｃの左右方向に直交する面には、左右方向に沿って貫通して後述する上階段支持部４８と連結する上階段連結孔４３１ｄが形成されている。
【００７４】
左横アングル部４３２ｃの左右方向に直交する面には、左右方向に沿って貫通して上階段支持部４８と連結する上階段連結孔４３２ｅが形成されている。
【００７５】
踏み板４４は、矩形板状で側面視において断面Ｌ字状に形成され、作業台板３９と平行になるように三段配置されている。左上アングル部４３２ａと、左下アングル部４３２ｂの左右方向に直交する面で、踏み板４４の左端部の一部が支持されている。右上アングル部４３１ａと、右下アングル部４３１ｂの左右方向に直交する面で、踏み板４４の右端部の一部が支持されている。
【００７６】
入口踏み板４５は、平面視において右前の角部分が切り取られた台形板状で切り取られた斜辺部分が下方に折り曲げられて断面Ｌ字状に形成され、作業台板３９と平行になるように配置されている。右上アングル部４３１ａと、右下アングル部４３１ｂの左右方向に直交する面で、入口踏み板４５の右端部の一部が支持されている。左下アングル部４３２ｂの左右方向に直交する面で、入口踏み板４５の左端部の一部が支持されている。
【００７７】
右手摺４６は、側面視において、入口踏み板４５近傍の右上アングル部４３１ａの長手方向の下端部、中央部、上端部、及び掛け渡し板４２の水平部４２ｂの右後端部から上方に延びる縦部分と、右上アングル部４３１ａ及び掛け渡し板４２と平行に延びる横部分を有している。
【００７８】
左手摺４７は、側面視において、一番下の踏み板近傍の左上アングル部４３２ａの長手方向の中央部、上端部及び掛け渡し板４２の水平部４２ｂの左後端部から上方に延びる縦部分と、左上アングル部４３２ａ掛け渡し板４２と平行に延びる横部分を有している。
【００７９】
各上階段支持部４８は、図４に示すように、等辺山形鋼が用いられ、一方の辺の外面で作業台板３９の上面に装着されている。他方の上方に向かって延びる辺には、左右方向に沿って貫通して上階段部４１の設置位置を調整する上階段連結孔４８ａが形成されている。
【００８０】
右横アングル部４３１ｃのいずれかの上階段連結孔４３１ｄ及び左横アングル部４３２ｃのいずれかの上階段連結孔４３２ｅが、上階段支持部４８のいずれかの上階段連結孔４８ａと相互に対向され、それらの相互に対向する上階段連結孔４３１ｄ及び上階段連結孔４３２ｅと、上階段連結孔４８ａとを、図示しない連結ピンを挿通することによって、上階段部４１と作業台部１４とが連結されている。
【００８１】
次に、上述した構成の工事用足場６の組立手順を説明する。
【００８２】
まず、上部柱３６と下部柱３７とを連結して縦支持部１２を形成する、この際、突出アーム部１３を上部柱３６に連結しておく。ベランダ床面３ａにベース部１０を設置して縦支持部１２を連結する。そして、縦支持部１２の上端部に押圧部１１を連結する。床面当接部２１をベランダ床面３ａと当接させるとともに、一対のジャッキ部３１により第一の押圧板部２９を上方向に移動させてベランダ天井壁３ｂを押圧するとともに、棒ジャッキ部３２により第二の押圧板部３０をそれぞれ上方向に移動させてベランダ天井壁３ｂを押圧する。突出アーム部１３と作業台板３９とを連結して、手摺部４０を作業台板３９の前端部及び左右の端部の上面に装着した後、下階段部１７を、ベース板部１９から一対の下部柱３７に架け渡すように連結して、それまでに組み上げた半完成状態の工事用足場６をベランダ３の室外側３ｆに移動させ、上階段部４１を、作業台板３９から屋根１６に架け渡すように連結して工事用足場６の設置が完了する。解体時には以上に説明した逆の手順の作業を行なう。
【００８３】
工事用足場６では、ベランダ天井壁３ｂ側に配置される押圧部１１は、二つの縦支持部１２を連結して互いに対向するように配設された一対のジャッキ部３１と、平面視において矩形平板状に形成されジャッキ部３１に両端部を支持されベランダ天井壁３ｂを押圧する第一の押圧板部２９とを備えている。この第一の押圧板部２９により、比較的広い範囲を押圧することとなり、ベランダ天井壁３ｂを押圧する際の単位面積あたりの押圧力が小さくなるので、ベランダ天井壁３ｂの強度が弱くても天井壁を損傷させることなくベランダ天井壁３ｂを押圧することができる。
【００８４】
また、作業台部１４に支持されて上方に延びて、建築物２のベランダ３上方の屋根１６に移動可能に架け渡される上階段部４１により、屋根１６に容易に移動することができる。
【００８５】
次に、本発明のメンテナンスシステムの実施形態について図面に基づいて説明する。  本発明の実施形態では、図５、図６（多機能リフト装置８は省略している。）に示すように、メンテナンスシステム１は、改修改築作業等を行なう建築物２のベランダ３を有する第一の外側壁４と、ベランダ３を有しない第二の外側壁５の周囲と、に設置されている。各階のベランダ３は、それぞれベランダ床面３ａと、ベランダ天井壁３ｂと、ベランダ手摺３ｃと、ベランダ室内側壁３ｇと、を備えている。
【００８６】
メンテナンスシステム１は、工事用足場６と、仮設足場７と、多機能リフト装置８を備えている。
【００８７】
仮設足場７は、図５、図６示すように、複数の単管を組み上げて完成される単管足場が用いられ、ベランダ３を有しない第二の外側壁５の外側壁に沿って配設されている。  
【００８８】
仮設足場７は、図５、図７（ａ）、（ｂ）に示すように、複数本連結され第二の外側壁５の壁面に沿って鉛直方向に延びるとともに水平方向に沿って複数列配置される縦枠５２と、縦枠５２を第二の外側壁５の壁面に沿って水平方向に連結する布枠５３と、縦枠５２の間に配設される矩形枠状の安全手摺部５４と、縦枠５２と連結され第二の外側壁５に向かって延びる伸縮ブラケット５５と、建築物２の外周方向に沿って並ぶ二つの伸縮ブラケット５５間に架け渡される足場板部５６と、を備えて多段状に組み立てられている。
【００８９】
縦枠５２は、円筒状の鋼管が用いられている。縦枠５２の上端部５２ｄから下方に所定距離離れた位置には、安全手摺部５４の後述する下被係合部材５７と係合される上係合部材５２ａが配設されている。縦枠５２の下端部５２ｅから上方に所定距離離れた位置には、安全手摺部５４の後述する上被係合部材５８と係合される下係合部材５２ｂが配設されている。上係合部材５２ａに隣接して、布枠５３が嵌入される第一の嵌合部材５２ｃが配設されている。
【００９０】
第一の嵌合部材５２ｃは、縦枠５２の外周に平面視において十字状に突出し、各々の突出部分は縦枠５２から外方に開口する有底円筒状をなしている。
【００９１】
上係合部材５２ａ及び下係合部材５２ｂは、鉛直方向に沿って後述する下被係合部材５７、上被係合部材５８が上下方向から挿入可能な円筒状に形成され、縦枠５２の外周に平面視において十字状に突出した第一の嵌合部材５２ｃの間の位置となるように配設されている。
【００９２】
布枠５３は円筒状の鋼管が用いられ、隣接する縦枠５２の対向する第一の嵌合部材５２ｃに嵌め込まれ、縦枠５２を第二の外側壁５の壁面に沿った水平方向で連結している。
【００９３】
安全手摺部５４は、縦支柱５４ａと、横支柱５４ｂとを有した格子状に形成されている。安全手摺部５４の下端部には、幅木板５４ｃが配設されている。
【００９４】
安全手摺部５４の両側の縦支柱５４ａ（特許請求の範囲の両側枠に相当する。）の下端部には、縦枠５２の上係合部材５２ａと係合される下被係合部材５７が配設されている。安全手摺部５４の両側の縦支柱５４ａ（特許請求の範囲の両側枠に相当する。）の上端部には、縦枠５２の下係合部材５２ｂと係合される上被係合部材５８がそれぞれ配設されている。
【００９５】
下被係合部材５７は、第二の外側壁５の壁面に沿った水平方向で対向する縦枠５２側に突出する基部５７ａと、基部５７ａから鉛直下方向に突出する挿入部５７ｂとを有している。下被係合部材５７の挿入部５７ｂは、最下部の横支柱５４ｂの下端面より突出して形成されている。
【００９６】
上被係合部材５８は、第二の外側壁５の壁面に沿った水平方向で対向する縦枠５２側に突出する基部５８ａと、基部５８ａから鉛直上方向に突出する挿入部５８ｂとを有している。上被係合部材５８の挿入部５８ｂは、最上部の横支柱５４ｂの上端面と略同一の高さとなるように形成されている。
【００９７】
縦枠５２が、最下端に位置する縦枠５２はその上端部５２ｄで、最上端に位置する縦枠５２はその下端部５２ｅで、中間部に位置する縦枠５２は、その上端部５２ｄ及び下端部５２ｅで、連結部材５９を介して上下方向において隣接する縦枠５２どうしが連結されるとともに、上下に隣接する縦枠５２において、同一の安全手摺部５４の上被係合部材５８が上の縦枠５２の下係合部材５２ｂと係合されるとともに下被係合部材５７が下の縦枠５２の上係合部材５２ａと係合されている。
【００９８】
伸縮ブラケット５５は、既存のものが用いられ、伸縮自在の水平杆５５ａと、水平杆５５ａの基端部から下方向に延びる図示しない垂直杆と、を有している。縦枠５２に垂直杆の上下の端部において図示しないクランプによって装着されている。
【００９９】
足場板部５６は、外縁を形成する外枠部５６ａと、外枠部５６ａに支持された網状の足場網部５６ｂと、外枠部５６ａの四隅部分から第二の外側壁５の壁面に沿った水平方向に突出したつかみ金具５６ｃと、を有している。足場板部５６は、第二の外側壁５の外周方向に沿って並ぶ二つの水平杆５５ａ間に配設され、つかみ金具５６ｃにより水平杆５５ａと係止され、二つの水平杆５５ａ間を架け渡している。
【０１００】
工事用足場６の作業台部１４は、図８（ａ）、（ｂ）に示すように、連結足場台６０を有している。
【０１０１】
連結足場台６０は、渡し台６１と、補助台６２と、を有し、両者を組み合わせて構成されている。
【０１０２】
渡し台６１は、外縁を形成する外枠部６１ａと、網状の足場網部６１ｂと、外枠部６１ａから左側に突出するつかみ金具６１ｃと、を有している。つかみ金具６１ｃは、足場板部５６の外枠部５６ａと係合可能に形成されている。渡し台６１の前側及び後ろ側の右端部及び中央部には、作業台支持柱３８ａと係合可能に形成され、前面視において断面が下方に開放されたコ字状の四つの係合部６１ｄが配設されている。係合部６１ｄの左右方向に直交する面には、左右方向に沿って貫通する渡し台連結孔６１ｅが形成されている。
【０１０３】
補助台６２は、外縁を形成する外枠部６２ａと、網状の足場網部６２ｂと、を有している。補助台６２の左右端部の中央部には、作業台支持柱３８ａと係合可能に形成され、前面視において断面が下方に開放されたコ字状に形成された係合部６２ｃが配設されている。係合部６２ｃの左右方向に直交する面には、左右方向に沿って貫通する補助台連結孔６２ｄが形成されている。
【０１０４】
作業台支持柱３８ａの左右方向に直交する面の、渡し台連結孔６１ｅ及び補助台連結孔６２ｄに対応する位置に、左右方向に沿って貫通する図示しない貫通孔をそれぞれ形成しておき、渡し台連結孔６１ｅと作業台支持柱３８ａに形成された図示しない貫通孔及び補助台連結孔６２ｄと作業台支持柱３８ａに形成された図示しない貫通孔とを相互に対向させ、それらの相互に対向する渡し台連結孔６１ｅと作業台支持柱３８ａに形成された図示しない貫通孔及び補助台連結孔６２ｄと作業台支持柱３８ａに形成された図示しない貫通孔に連結ピンを挿通することによって、左右の突出アーム部１３と連結足場台６０を有する作業台部１４の左右の端部とが連結されている。
【０１０５】
図９に示すように、手摺部１５の右格子４０ｄ及び左格子４０ｅの縦支柱４０ａに形成された係合孔４０ｇと、仮設足場７の両側に配設される渡し安全手摺部６３に装着され係合孔４０ｇに対応した切り欠きを有する係合片６３ａと、を係合することによって、手摺部１５と、渡し安全手摺部６３とが連結されている。
【０１０６】
そして、そのように渡し台６１が、足場板部５６の外枠部５６ａに連結され、手摺部１５と、渡し安全手摺部６３とが連結されることにより、図５に示すように、多段状に組み立てられた仮設足場７の平面視における建築物２の外周方向に沿った両端部が、仮設足場７の設置階における建築物２の最上層階９のベランダ３に設置されている工事用足場６の連結足場台６０とそれぞれ係合されている。
【０１０７】
多機能リフト装置８は、図１０に示すように、鉛直方向に延びる縦レール６４と、縦レール６４に沿って移動する本体部６５と、本体部６５に支持され水平方向に延びて物を搬送可能な横レール６６と、横レール６６上を移動して建築物２の第二の外側壁５を検査及び洗浄する移動体６７と、を備えている。
【０１０８】
縦レール６４は、角筒状に形成され、下端部に地面に固定するベース金具６４ａを備え、上端部にＧＰＳ６４ｂが装着されている。建築物２と対向する面と反対側の面には、上下方向に沿ってラック６４ｃが装着されている。
【０１０９】
本体部６５は、縦レール６４の外側に嵌め込まれ、下部に駆動モータ６５ａを備え、駆動モータ６５ａと連結された図示しないピニオンがラック６４ｃに噛み合って回動することにより、上下方向に移動可能に形成されている。本体部６５の建築物２と対向する面と反対側の面には、無線機６５ｂが装着され遠隔操作が可能に形成されている。駆動モータ６５ａは、電源用ワイヤ６８で図示しない電源ユニットと接続されている。
【０１１０】
横レール６６は、水平方向に延びて本体部６５に装着されている。横レール６６の下部には、本体部６５との連結を強化する補助部材６６ａが装着されている。横レール６６の上部には、後述する移動体６７の移動をガイドするガイドレール６６ｂが配設されている。平面視において、横レール６６のガイドレール６６ｂ以外の部分は、物を載置可能な平坦面を有している。補助部材６６ａは、図示しない掛止フックを有し、物を懸架可能に形成されている。
【０１１１】
移動体６７は、箱状に形成された筐体６７ａを備え、左側上部に駆動モータ６７ｂを備え、駆動モータ６７ｂと連結されたガイドローラ６７ｃがガイドレール６６ｂに付合されて回動することにより、左右方向に移動可能に形成されている。筐体６７ａの外壁には、無線機６７ｄが装着され遠隔操作が可能に形成されている。移動体６７は、建築物２の壁面を調査するＣＣＶカメラ６７ｅと建築物２の壁面を洗浄する高圧ノズル６７ｆと、を備えている。筐体６７ａの上部には、ＬＥＤライト６７ｈが装着されている。
【０１１２】
ＣＣＶカメラ６７ｅは、モニター接続ケーブル６９で図示しないＣＣＶモニターに接続され、高圧ノズル６７ｆは、水供給ホース７０で図示しないコンプレッサに接続され、駆動モータ６７ｂは、電源用ワイヤ７１で図示しない電源と接続されている。
【０１１３】
多機能リフト装置８は図５に参照するように、縦レール６４の上端部で、工事用足場６の渡し台６１の外枠部６１ａと、図示しない掛止部材を介して支持されている。
【０１１４】
メンテナンスシステム１の施工解体方法を説明する。図５に参照するように、改修改築作業等を行なう建築物２のベランダ３を有しない第二の外側壁５の周囲に仮設足場７を設置する。建築物２の２階のベランダ３に工事用足場６を設置する。工事用足場６の連結足場台６０と、仮設足場７の足場板部５６とを連結する連結工程を行なう。建築物２の３階、４階部分でも同様に連結する。仮設足場７の設置階における建築物２の最上層階９である４階までベランダ３に工事用足場６を設置したら、多機能リフト装置８を工事用足場６の渡し台６１の外枠部６１ａで支持する。そして、多機能リフト装置８によって、各階に必要な道具、資材を搬送し、改修改築作業を行なう。解体時には、逆の作業を行なう。
【０１１５】
なお、図５のように、建築物２の２階、３階に設置された工事用足場６を取り外した状態にして、改修改築作業を行なうことも可能である。
【０１１６】
上述したようにメンテナンスシステム１は、工事用足場６と、仮設足場７とで構成され、仮設足場７の平面視における建築物２の外周方向に沿った両端部を、建築物２のベランダ３に設置されている工事用足場６の連結足場台６０とそれぞれ係合させるように形成している。これにより、工事用足場６が仮設足場７を支持するので建築物２にアンカを打ち込むことが不要となり、建築物２がベランダ３がない側面を有する場合でも建築物２の強度を損なうことなく清掃、改修作業を行なうことができる。なお、少なくとも、仮設足場７の設置階における建築物２の最上層階９のベランダ３に工事用足場６を設置すれば、仮設足場７が上端部分で支持されるので、ベランダ３を有しない第二の外側壁５から離れようとする動きを抑制し仮設足場７の設置時の安定性を確保することができる。
【０１１７】
また、縦枠５２の上端部５２ｄから下方に所定距離離れた位置に、安全手摺部５４と係合される上係合部材５２ａを、縦枠５２の下端部５２ｅから上方に所定距離離れた位置に、安全手摺部５４と係合される下係合部材５２ｂを、それぞれ配設して、安全手摺部５４の両側の縦支柱５４ａの下端部に、縦枠５２の上係合部材５２ａと係合される下被係合部材５７を、安全手摺部５４の両側の縦支柱５４ａの上端部に、縦枠５２の下係合部材５２ｂと係合される上被係合部材５８をそれぞれ配設している。
【０１１８】
そして、縦枠５２を、縦枠５２の上端部５２ｄ又は／及び縦枠５２の下端部５２ｅで連結部材５９を介して上下方向において隣接する縦枠５２どうしを連結するとともに、上下に隣接する縦枠５２において、同一の安全手摺部５４の上被係合部材５８を上の縦枠５２の下係合部材５２ｂと係合するとともに下被係合部材５７を下の縦枠５２の上係合部材５２ａと係合している。
【０１１９】
これにより、連結部材５９を利用しての連結に加え、同一の安全手摺部５４の下被係合部材５７及び上被係合部材５８を利用して縦枠５２どうしを連結することになるので、縦枠５２どうしの連結が強固になり仮設足場７の設置時の安定性を高めることができる。
【０１２０】
また、足場板部５６の外枠部５６ａを、工事用足場６の連結足場台６０の渡し台６１のつかみ金具６１ｃと係合可能に形成しているので、足場板部５６と連結足場台６０間の移動が容易になり作業効率を高めることができる。
【０１２１】
また、工事用足場６に支持された多機能リフト装置８が、鉛直方向に延びる縦レール６４と、縦レール６４に沿って移動する本体部６５と、本体部６５に支持され水平方向に延びて物を搬送可能な横レール６６と、横レール６６上を移動して建築物２を検査又は／及び洗浄する移動体６７を備えている。これにより、人力を用いずに作業用の資材、物品を上層階に搬送できるとともに、検査、洗浄作業を行なうことができ、迅速な清掃、改修作業を行なうことができる。
【０１２２】
本発明の工事用足場６の変形例について図面に基づいて説明する。第１の実施形態と共通の部材については、同じ符号を付し説明を省略する。
【０１２３】
工事用足場６Ａでは、図１１に示すように、上階段部１８の代わりに、上層階のベランダ３の改修改築作業を可能とする踏み台板７２と、手摺部１５から上方に延設され踏み台板７２を支持する補助手摺７３を備えている。
【０１２４】
踏み台板７２は、図１２、図１３に示すように、矩形平板状で作業台板３９より平面視における前後方向の長さを短くして面積が小さく形成されている。
【０１２５】
踏み台板７２の前端縁部には、前端縁部から下方に延設する前側板７２ａが、左右方向に沿って配設されている。踏み台板７２の後端縁部には、後端縁部から下方に延設する後側板７２ｂが、左右方向に沿って配設されている。踏み台板７２の左端縁部には、左端縁部から下方に延設する左側板７２ｃが、前後方向に沿って配設されている。踏み台板７２の右端縁部には、右端縁部から下方に延設する右側板７２ｄが、前後方向に沿って配設されている。
【０１２６】
左側板７２ｃ及び右側板７２ｄは、前側板７２ａ及び後側板７２ｂの下端より下方に延びて形成されている。前側板７２ａ及び後側板７２ｂと隣接する左側板７２ｃ及び右側板７２ｄとの間には、上下方向に沿って隙間Ｓが設けられている。左側板７２ｃ及び右側板７２ｄの後ろ側の左右の端部には、左側板７２ｃ及び右側板７２ｄの下端部から踏み台板７２に向かって切り欠き部７２ｅが形成されている。左側板７２ｃ及び右側板７２ｄの前端部から切り欠き部７２ｅまでの距離は、手摺部１５の右格子４０ｄ及び左格子４０ｅの一番前側に配置される縦支柱４０ａから、手摺部１５の右格子４０ｄ及び左格子４０ｅの中央に配置される縦支柱４０ａまでの距離と、略同一に形成されている。
【０１２７】
踏み台板７２の隙間Ｓに、手摺部１５の右格子４０ｄ及び左格子４０ｅの上から二段目に配置された横支柱４０ｂを挿入するとともに、左側板７２ｃ及び右側板７２ｄの切り欠き部７２ｅに、右格子４０ｄ及び左格子４０ｅの縦支柱４０ａを挿入することによって手摺部１５と、踏み台板７２とが連結されている。
【０１２８】
補助手摺７３は、図１２、図１３に示すように、複数の縦支柱７３ａと、複数の横支柱７３ｂとで格子状に形成され、前格子７３ｃと、右格子７３ｄと、左格子７３ｅとを有した平面視においてコ字状に形成されている。前格子７３ｃは、手摺部１５の前格子４０ｃと同様に形成されている。右格子７３ｄ及び左格子７３ｅは、平面視における前後方向の長さを略同一に形成され、屋根１６及び上層階のベランダ３と干渉しないように形成されている。前格子７３ｃと、右格子７３ｄとの間、及び、前格子７３ｃと、左格子７３ｅとの間には、図示しない蝶番が配設され、それぞれ回動可能に形成されている。
【０１２９】
補助手摺７３は、図１２、図１３に示すように、最下部に配設された横支柱７３ｂと、手摺部１５の最上部に配設された横支柱４０ｂの上面とが、図示しない連結部材によって連結されている。このような構成によっても、工事用足場６Ａが設置された上層階のベランダ３の改修改築作業を可能とすることができる。
【０１３０】
上記の実施形態においては、伸縮ブラケット５５間を  足場板部５６で架け渡しているが、これにはこだわらない。伸縮ブラケット５５の代わりに、第一の嵌合部材５２ｃに第二の外側壁５に向かって延びる円筒状の腕枠を嵌入して、腕枠間を足場板部５６で架け渡してもよい。腕枠は、縦枠５２とクランプを介して装着するようにしてもよい。
【０１３１】
また、連結ピンを挿通することによって連結されている部分については、ボルト、ナット締め等の既存の連結部材を用いることができる。
【０１３２】
また、工事用足場６は、仮設足場７の設置階における建築物２の最上層階９にベランダ３に工事用足場６を設置しているが、建築物２の各階のベランダ３に工事用足場６を設置した状態にしてもよい。
【０１３３】
仮設足場７は、単管足場が用いられているが、枠組足場(鳥居型枠、梯子型枠、調節枠、簡易枠、ブラケット枠等を使用するもの)を用いることができる。
【０１３４】
また、縦枠５２の第一の嵌合部材５２ｃは、上下方向から挿入可能な筒状に形成されている、既存の部材を用いることができる。
【０１３５】
また、連結足場台６０のつかみ金具６１ｃの一方を、縦枠５２の上係合部材５２ａに挿入可能な棒部材に換装して、足場板部５６と、連結足場台６０とを連結することもできる。
【符号の説明】
【０１３６】
１  メンテナンスシステム
２  建築物
３  ベランダ
３ａ  ベランダ床面
３ｂ  ベランダ天井壁
３ｃ  ベランダ手摺
４  第一の外側壁
５  第二の外側壁
６  工事用足場
６Ａ  工事用足場
６Ｋ  基枠体部
７  仮設足場
８  多機能リフト装置
９  最上層階
１０  ベース部
１１  押圧部
１２  縦支持部
１３  突出アーム部
１４  作業台部
１６  屋根
１８  上階段部
１９  ベース板部
２８  押圧板部
５２  縦枠
５２ａ  上係合部材
５２ｂ  下係合部材
５３  布枠
５４  安全手摺部
５４ａ  縦支柱
５５  伸縮ブラケット
５６  足場板部
５６ａ  外枠部
５７  下被係合部材
５８  上被係合部材
５９  連結部材
６０  連結足場台
６１  渡し台
６１ｃ  つかみ金具部
６４  縦レール
６５  本体部
６６  横レール
６７  移動体
【図１】
0005684667.tif 000002
【図２】
0005684667.tif 000003
【図３】
0005684667.tif 000004
【図４】
0005684667.tif 000005
【図５】
0005684667.tif 000006
【図６】
0005684667.tif 000007
【図７】
0005684667.tif 000008
【図８】
0005684667.tif 000009
【図９】
0005684667.tif 000010
【図１０】
0005684667.tif 000011
【図１１】
0005684667.tif 000012
【図１２】
0005684667.tif 000013
【図１３】
0005684667.tif 000014